【手続補正書】
【提出日】平成17年4月4日(2005.4.4)
【手続補正１】
【補正対象書類名】明細書
【補正対象項目名】特許請求の範囲
【補正方法】変更
【補正の内容】
【特許請求の範囲】
【請求項１】
魚釣り用の釣り糸を収納することができる釣り糸収納具であって、前記釣り糸収納具は、対向して配置されている少なくとも一対の側壁を有しており、少なくとも１つの前記側壁には、その側壁に対向している前記側壁の方向に向けて伸びている弾性体の突起が複数形成されており、複数の前記突起は、それがついている側壁から出ている付け根部分の断面の径方向寸法よりも突起の長さ方向の寸法が長い細長い突起と、突起の断面の寸法において当該側壁の径方向の寸法と側壁の法線方向の寸法のうちの大きい方の寸法よりも当該側壁の外周に沿った方向の寸法が大きい寸法である、以下において帯状の突起あるいは帯状突起とも称する形状の突起のいずれか一方または双方であることを特徴とする釣り糸収納具。
【請求項２】
請求項１に記載の釣り糸収納具において、複数の前記突起の長さは、それが形成されている側壁と前記側壁に対向して配置されている側壁の間隔よりも短い長さであることを特徴とする釣り糸収納具。
【請求項３】
請求項１または２に記載の釣り糸収納具において、少なくとも１つの前記側壁は、前記釣り糸収納具に着脱可能な構造になっていることを特徴とする釣り糸収納具。
【請求項４】
請求項１〜３のいずれか１項に記載の釣り糸収納具において、前記少なくとも１つの側壁に少なくとも１つの穴が形成されていることを特徴とする釣り糸収納具。
【請求項５】
請求項１〜４のいずれか１項に記載の釣り糸収納具において、前記少なくとも１つの側壁に少なくとも１つの切り込み部が形成されていることを特徴とする釣り糸収納具。
【請求項６】
請求項１〜５のいずれか１項に記載の釣り糸収納具において、前記側壁に形成されている弾性体の突起が、対向して配置されている一対の側壁の、以下において第１の側壁とも称する一方の側壁と以下において第２の側壁とも称する他方の側壁の両方の側壁に形成されており、前記第１の側壁に形成されている弾性体の突起と前記第２の側壁に形成されている弾性体の突起が、側壁の周方向において交互に配置されるように形成されていることを特徴とする釣り糸収納具。
【請求項７】
請求項１〜６のいずれか１項に記載の釣り糸収納具において、少なくとも一つの前記側壁に形成されている前記弾性体の突起の少なくとも２つは、当該側壁におけるその突起の付け根部分の隙間が０または当該２つの突起の間の隙間が前記両突起の付け根部分の外接円の直径の平均値より小さい突起（以下、突起対ともいう）であることを特徴とする釣り糸収納具。
【請求項８】
請求項１〜７のいずれか１項に記載の釣り糸収納具において、前記弾性体の突起が、前記突起が設けられている側壁表面の法線に対して前記突起の、以下において中心線とも称する、長さ方向の平均的中心軸に相当する仮想の軸が３０度以下の所定の角度θ１だけ前記釣り糸収納部の内側に向けて形成されていることを特徴とする釣り糸収納具。
【請求項９】
請求項１〜８のいずれか１項に記載の釣り糸収納具において、少なくとも１つの前記側壁の前記弾性体の突起の太さは、前記突起の長さ方向の中央部の平均径が０．２〜２ｍｍであることを特徴とする釣り糸収納具。
【請求項１０】
請求項１〜９のいずれか１項に記載の釣り糸収納具において、少なくとも１つの前記側壁と前記側壁に形成されている弾性体の突起が一体成形技術を用いて一体に形成されていることを特徴とする釣り糸収納具。
【請求項１１】
請求項１〜１０のいずれか１項に記載の釣り糸収納具において、前記釣り糸収納具は、釣り糸を収納することができる少なくとも１つの収納ユニットを有しており、少なくとも１つの前記収納ユニットは、前記対向して配置されている少なくとも一対の側壁の少なくとも一部に接続あるいは近接して配置されているリール胴体を有しており、少なくとも１つの前記収納ユニットの少なくとも１つの前記側壁に複数の前記突起が配置されており、少なくとも１つの前記側壁に配置されている複数の前記突起は、前記少なくとも一対の側壁のうちの少なくとも一方の側壁の、以下において側壁内部ともいう位置、すなわち、その側壁の外周近傍で、かつ、外周よりも前記収納ユニットの内側に寄った位置に、前記一方の側壁からその側壁に対向して配置されている他方の側壁の方向に向けて突き出している弾性体の突起として形成されており、前記一対の側壁と前記弾性体の突起は釣り糸を収納して保持することができる釣り糸収納部の構成要素になっていることを特徴とする釣り糸収納具。
【請求項１２】
請求項１１に記載の釣り糸収納具において、前記リール胴体は着脱可能な少なくとも２つの部分から構成されていることを特徴とする釣り糸収納具。
【請求項１３】
請求項１１または１２に記載の釣り糸収納具において、前記釣り糸収納具は複数の収納ユニットを有しており、その少なくとも１つの収納ユニットは一対の対向して配置された側壁を有しており、前記一対の側壁には突起が形成されていないことを特徴とする釣り糸収納具。
【請求項１４】
請求項１１〜１３のいずれか１項に記載の釣り糸収納具において、複数の収納ユニットは、それらを互いに接続して釣り糸収納具を構成することができる接続手段を有していることを特徴とする釣り糸収納具。
【請求項１５】
請求項１１〜１４のいずれか１項に記載の釣り糸収納具において、少なくとも２つの前記収納ユニットが互いに異なる材質で形成されていることを特徴とする釣り糸収納具。
【請求項１６】
請求項１１〜１５のいずれか１項に記載の釣り糸収納具において、各異なる前記収納ユニット間の互いに隣接する２つの側壁の間に釣り針や鼻かんなどの釣り糸に付属する部品を挿入することができる幅を有する間隙が形成されるように前記各収納ユニットが形成されているか組み立てられることを特徴とする釣り糸収納具。
【請求項１７】
請求項１１〜１６のいずれか１項に記載の釣り糸収納具において、前記釣り糸収納具は、その外側に面している少なくとも１つの前記側壁とリール胴体のいずれか一方または双方の当該リール胴体の外周よりも中心側にある位置に凹部または中空部分を有することを特徴とする釣り糸収納具。
【請求項１８】
請求項１１〜１７のいずれか１項に記載の釣り糸収納具において、前記釣り糸収納具を構成する少なくとも１つの収納ユニットが回転可能な状態になっていることができることを特徴とする釣り糸収納具。
【請求項１９】
請求項１〜１８のいずれか１項に記載の釣り糸収納具において、前記釣り糸収納具は、少なくとも３つ以上の部分に分解可能であるとともに、前記分解された少なくとも３つの部分を釣り糸収納具に組み立てることができることを特徴とする釣り糸収納具。
【請求項２０】
請求項１〜１０のいずれか１項に記載の釣り糸収納具において、前記側壁は、前記側壁とは独立に構成されている釣り糸を巻きつけることができるリールに取り付けて、前記突起を利用した釣り糸収納ユニットを形成することができる側壁であることを特徴とする釣り糸収納具。
【請求項２１】
請求項１〜１０のいずれか１項に記載の釣り糸収納具において、前記釣り糸収納具は、釣り糸を収納することができる少なくとも１つの収納ユニットを有しており、少なくとも１つの前記収納ユニットは、対向して配置されている少なくとも一対の側壁を有しており、前記側壁の少なくとも１つは、少なくともその一部において内側にある側壁（内側側壁ともいう）と外側にある側壁（以下、外側側壁ともいう）が二重になっている側壁で、前記外側側壁に複数の前記弾性体の突起が形成されていることを特徴とする釣り糸収納具。
【請求項２２】
請求項１〜２１のいずれか１項に記載の釣り糸収納具において、前記側壁はその一方の側と他方の側に前記突起を有する側壁であることを特徴とする釣り糸収納具。
【請求項２３】
請求項１〜２２のいずれか１項に記載の釣り糸収納具において、前記弾性体の突起が、合成ゴムで、ショア硬度で５０以上の硬度を有する弾性体として形成されていることを特徴とする釣り糸収納具。
【請求項２４】
請求項２３に記載の釣り糸収納具において、前記合成ゴムがシリコーンゴムであることを特徴とする釣り糸収納具。
【請求項２５】
魚釣り用の釣り糸を収納することができる釣り糸収納具に取り付けて釣り糸収納具を構成することができる釣り糸収納具であって、前記釣り糸収納具は少なくとも一つの側壁を有しており、少なくとも１つの前記側壁には、その側壁の法線方向への投影成分が径方向への投影成分よりも大きな成分になるように側壁から突き出して伸びている前記弾性体の突起が複数形成されており、複数の前記突起は、それがついている側壁から出ている付け根部分の断面の径方向寸法よりも突起の長さ方向の寸法が長い細長い突起と、突起の断面の寸法において当該側壁の径方向の寸法と側壁の法線方向の寸法のうちの大きい方の寸法よりも当該側壁の外周に沿った方向の寸法が大きい寸法である、以下において帯状の突起あるいは帯状突起とも称する、形状の突起のいずれか一方または双方であることを特徴とする釣り糸収納具。
【請求項２６】
請求項２５に記載の釣り糸収納具において、前記側壁はその一方の側と他方の側に前記突起を有する側壁であることを特徴とする釣り糸収納具。
【請求項２７】
請求項２５または２６に記載の釣り糸収納具において、前記弾性体の突起が、合成ゴムで、ショア硬度で５０以上の硬度を有する弾性体として形成されていることを特徴とする釣り糸収納具。
【請求項２８】
請求項２７に記載の釣り糸収納具において、前記合成ゴムがシリコーンゴムであることを特徴とする釣り糸収納具。
【手続補正２】
【補正対象書類名】明細書
【補正対象項目名】０００５
【補正方法】変更
【補正の内容】
【０００５】
図５３で、符号１０１０は一般的な鮎釣りの仕掛け、１０１１は仕掛け１０１０の一部で釣りの際には主に水中に入っている水中糸、１０１２ａ，１０１２ｂ，１０１２ｃは水中糸１０１１にとりつけられた目印、１０１３は天井糸、１０１３ａは水中糸１０１１と天井糸１０１３を結ぶ結び目、１０１４は仕掛け１０１０を釣り竿（図示せず）にとりつけるための輪状になった天井糸先端部、１０１５は水中糸１０１１の先端に設けられた魚を引っかけるためのイカリ針、１０１６はオトリアユ（図示せず）にイカリ針１０１５をつけておくための逆さ釣り針、１０１７はオトリアユの鼻部に取り付ける鼻カンである。
【手続補正３】
【補正対象書類名】明細書
【補正対象項目名】０００７
【補正方法】変更
【補正の内容】
【０００７】
図５３のような仕掛けを用いて釣りをする際は、天井糸先端部１０１４を釣り竿に結んで取り付けた後、逆さ釣り針１０１６をオトリアユのヒレに引っかけて、鼻カン１０１７をオトリアユの鼻部に取り付けて釣りをする。
【手続補正４】
【補正対象書類名】明細書
【補正対象項目名】００１１
【補正方法】変更
【補正の内容】
【００１１】
図５４〜図５６は従来の釣り具の収納具の例を説明する図で、図５４は収納具を一方の側からみた図、図５５は図５４の収納具を直線Ｚ１−Ｚ２の部分で切った断面図、図５６は図５４の矢印１０２７の方から見た側面図である。なお、図中の破線は他の構造物の裏側にあって見えない部分を説明するためのものである。
【手続補正５】
【補正対象書類名】明細書
【補正対象項目名】００１４
【補正方法】変更
【補正の内容】
【００１４】
図５７〜図５９は従来の釣り具に収納具の釣り具を収納した状態を説明する図で、図５７は収納具を一方の側から見た図、図５８は図５７の収納具を符号Ｚ３−Ｚ４で示した直線の位置で切った断面図、図５９は図５７の矢印１０３７の方から見た図である。
【手続補正６】
【補正対象書類名】明細書
【補正対象項目名】００１６
【補正方法】変更
【補正の内容】
【００１６】
図５７で水中糸端部１０３５は切り込み部１０２１ａおよび外壁部１０２４の外表面を通り空洞部１０２２に入っている。また、図５８で針部１０３１は空洞部１０２２に収納されており、水中糸端部１０３５は蓋部１０２３と空洞部１０２２の隙間から外壁部１０２４に出た後に、切り込み部１０２１ａを通って、外周部１０２６へと巻きつけられた後に、天井糸先端部１０３３を切り込み部１０２１ｂに引っかけることによって仕掛けが収納具１０２０に固定されている。また、図５９において、水中糸１０３２は外周部１０２６に巻きつけられており、糸部１０３２の水中糸につけられた目印１０３４ａ，１０３４ｂ，１０３４ｃも糸部１０３２とともに外周部１０２６に巻きつけられて収納されている。
【手続補正７】
【補正対象書類名】明細書
【補正対象項目名】００２２
【補正方法】変更
【補正の内容】
【００２２】
図６２と図６３で、図６０と図６１と同じ符号のものは、図６０と図６１と同じものを示しているものとする。また、図６２と図６３で、符号１０５１は収納する仕掛けの逆さ釣り針などの針部、１０５２は仕掛けの水中糸および天井糸などの糸部、１０５３ａ，１０５３ｂ，１０５３ｃは水中糸につけられた目印、１０５４は矢印、１０５５は外周部１０４１の曲率半径が小さくなっている端面部、１０５６は外周部１０４１の端面部１０５５と反対側の曲率半径が小さくなっている端面部である。
【手続補正８】
【補正対象書類名】明細書
【補正対象項目名】００２７
【補正方法】変更
【補正の内容】
【００２７】
図６４のように、図６２と図６３のように、図６０と図６１に示したような収納具を用いて仕掛けを収納した場合、水中糸１０５２が端面部１０５５および１０５６に強いテンションをかけられて巻きつけられることによって、１０６１ａや１０６１ｂ等のように水中糸が折れてしまって水中で折れやすくなってしまうということがあった。
【手続補正９】
【補正対象書類名】明細書
【補正対象項目名】００３１
【補正方法】変更
【補正の内容】
【００３１】
【課題を解決するための手段】
本発明の目的の達成を図るため、本発明の釣り糸収納具は、釣り糸を収納することができる少なくとも１つの収納ユニットを有しており、前記収納ユニットは、少なくとも、対向して配置されている一対の側壁と少なくとも１つの前記側壁に配置されている複数の弾性体の突起とを有していることを特徴としている。
【手続補正１０】
【補正対象書類名】明細書
【補正対象項目名】００９５
【補正方法】変更
【補正の内容】
【００９５】
本発明の実施の形態例としての釣り糸収納具は、前記切り込み部は、当該側壁の一方の側においてはその側にあるリール胴体部まで達しており、他方の側においてはその側にあるリール胴体部まで達していないことを特徴としている。
【手続補正１１】
【補正対象書類名】明細書
【補正対象項目名】０１１７
【補正方法】変更
【補正の内容】
【０１１７】
本発明の実施の形態例としての釣り糸収納具は、前記釣り糸収納具の、その外側に面している少なくとも１つの前記側壁とリール胴体のいずれか一方または双方のリール胴体の外周より中心側の位置に凹部を有することを特徴としている。
【手続補正１２】
【補正対象書類名】明細書
【補正対象項目名】０１４７
【補正方法】変更
【補正の内容】
【０１４７】
なお、上記の図１の説明における側壁２と側壁３は、釣り糸収納部９を形成している互いに対向している符号２と３で示した面を指しているが、説明の都合上、以下の説明において側壁という場合には、前後の説明や図面を参照して重大な誤解のおそれがある場合を除き、たとえば図１を例にとって述べると、図１の符号２，３で示した側壁の面を意味する場合と、符号２，３で示した面を一方の表面に有する符号２ａ，３ａで示した側壁肉部ともいうべき部分とを含めて側壁２，３と称する場合と、図１の符号２ｂ，３ｂで示した側壁２，３の裏側にある側壁２，３の外側面を意味する場合と、符号２，３，２ａ，３ａ，２ｂ，３ｂで示した全体を側壁２，３と称する場合と、上記各場合に加えて符号２，３，２ａ，３ａ，２ｂ，３ｂで示した部分をさらに符号２ａ，３ａ，２ｂ、３ｂで示した部分のリール胴体１や空洞部１０の位置まで延長した部分も含めて側壁２，３と称する場合もある。そして、説明の都合上特に区別の必要がある場合には、それぞれ区別して使用あるいは混用する場合もある。
【手続補正１３】
【補正対象書類名】明細書
【補正対象項目名】０１５１
【補正方法】変更
【補正の内容】
【０１５１】
図２において、符号１５は本発明の釣り糸収納具の側壁、１５ａは側壁１５の外側面、１６は側壁１５の中央部に形成された空洞部、１７ａ、１７ｂ，１７ｃ，１７ｄ，１７ｅ，１７ｆ，１７ｇ，１７ｈは側壁１５に設けられた切り込み部でその底部および入り口部分のコーナー部分が丸みを帯びて形成されている。以下、切り込み部１７ａ〜１７ｈのそれぞれを、あるいは総称して切り込み部１７と称することもある。符号１８ａ，１８ｂ，１８ｃ．１８ｄ，１８ｅ，１８ｆ，１８ｇ，１８ｈは側壁１５に設けられた逆さ釣り針などを引っかけるのに使うことが出来る穴で、以下、穴１８ａ〜１８ｈのそれぞれを、あるいは総称して穴１８と称することもある。
【手続補正１４】
【補正対象書類名】明細書
【補正対象項目名】０１５９
【補正方法】変更
【補正の内容】
【０１５９】
図３のように、各突起をリール外周部８の方向に傾けて配置することによって、釣り糸を釣り糸収納部９に挿入しやすくするとともに、突起の曲げ抗力を比較的小さくしても釣り糸収納部９のリール外周部８に巻きつけられている釣り糸が解けて収納具の外に出てしまうのを効果的に防ぐことが出来る。
【手続補正１５】
【補正対象書類名】明細書
【補正対象項目名】０１６８
【補正方法】変更
【補正の内容】
【０１６８】
図６で、符号４０〜４２は突起で、突起４０〜４２はそれらが形成されている側壁に対して、それらの配置されている各側壁の法線に対して突起４０と４２の中心線は所定の角度−θ５だけ、突起４１はθ５だけ傾けられて形成されている。この所定の角度θ５は３０度以下であることが釣り糸を出し入れしやすく好ましい。また、突起４０および４２は同じ側壁上に形成されており、突起４１は突起４０および４２が形成されている側壁に対向して配置されている側壁に形成されている。また、突起４０〜４２の側壁に対して垂直方向の長さ成分は当該両側壁間の距離の半分以上であり、特に両側壁間の距離すなわち両側壁の間隔に等しいか、両側壁間の距離より０．０５〜０．５ｍｍ短いのが操作し易く、収納具の信頼性も高い。
【手続補正１６】
【補正対象書類名】明細書
【補正対象項目名】０１７１
【補正方法】変更
【補正の内容】
【０１７１】
図７において、符号４３〜４８は突起で、突起４３〜４８はそれらが形成されている側壁に対して、側壁の法線に対して突起４３，４４，４７，４８の中心線は所定の角度−θ６だけ、突起４５，４６の中心線は所定の角度θ６だけ傾けられて形成されている。この所定の角度θ６は３０度以下が操作性に優れた収納具を与える。また、突起４３，４４，４７，４８は同一側壁上に形成されており、突起４３と４４、突起４７と４８はそれぞれ根本が接する突起対を形成するように形成されている。また、突起４５および４６は突起４３，４４，４７，４８が形成されている側壁に対向して配置されている側壁に配置されており、突起４５と４６は根本が接する突起対を形成するように形成されている。また、突起４３〜４８の長さの当該側壁に垂直な方向の成分は当該側壁間の距離の半分以上になっており、当該側壁間の距離、すなわち間隔、にほぼ等しいか、０．０５〜０．５ｍｍ短いようにすると、操作し易く、収納具の信頼性も高い。
【手続補正１７】
【補正対象書類名】明細書
【補正対象項目名】０２０５
【補正方法】変更
【補正の内容】
【０２０５】
図１７は本発明の実施の形態例としての釣り糸収納具の例を説明する断面図で、図１〜図１６を用いて説明した側壁の外周部近傍に前記の如き弾性体の突起を有する釣り糸収納部を有する第１の収納ユニットを１つと側壁の外周部近傍に前記の如き弾性体の突起を有しない釣り糸収納部を有する第２の収納ユニットを１つ有する例である。
【手続補正１８】
【補正対象書類名】明細書
【補正対象項目名】０２１１
【補正方法】変更
【補正の内容】
【０２１１】
図１８において、符号１２３は本発明の釣り糸収納具の側壁、１２３ａは本発明の側壁１２３のリール胴体部の位置にある内側面、１２３ｂは側壁１２３のリール胴体部の外側に位置する外側面、１２５は内側面１２３ａの中央部に形成された空洞部、１１７ａ、１１７ｂ，１１７ｃ，１１７ｄ，１１７ｅ，１１７ｆ，１１７ｇ，１１７ｈは側壁１２３の外側面１２３ｂに設けられた底部および入り口部分のコーナー部分が丸みを帯びて形成されている切り込み部である。以下、切り込み部１１７ａ〜１１７ｈのそれぞれを、あるいはそれらを総称して切り込み部１１７とも称する。符号１２４ａと１２４ｂは側壁１２３の裏側にある突起の位置を示す○印（以下、その突起自体を呼称する）、１２８は空洞部１２５の縁に形成された取り付け係合部で、図では取り付け部の下に隠れて見えない部分である。取り付け係合部１２８は他の収納ユニットの取り付け部（たとえば、図１７の符号１２２の部分）に契合して当該収納ユニットを他の収納ユニットと一体化するのに用いられる部分である。突起１２４ａは、たとえば、図１０で説明した突起５８のように１つの突起が隣の突起から所定の間隔だけ離れて配置されており、突起１２４ｂは、たとえば、図１０で説明した突起５９と６０で構成される突起対６１のように、２つの突起を近接して配置した突起である。以下、特に区別を要しないときは、突起１２４ａと１２４ｂも突起１１４と総称することもある。
【手続補正１９】
【補正対象書類名】明細書
【補正対象項目名】０２１３
【補正方法】変更
【補正の内容】
【０２１３】
図１７の側壁１１２と側壁１１３に、図１８のような釣り糸収納具の側壁と同様に切り込みが入っている側壁を用いて構成した釣り糸収納具を用いて魚釣りに用いる仕掛けを収納する場合、逆さ釣り針等を、たとえば、図１８に示したような２つ近接するように配置された突起１２４ｂに引っかけて収納したり、あるいは、第２の釣り糸収納部としての付属物収納部１２１に収納したり、あるいは空洞部１２５に収納したりした後に、水中糸部分をリール外周部１１５に巻きつけて収納することができる。このとき目印部分の付近の水中糸を側壁１１３に設けられた前記切り込み部を介して水中糸を移動させ、第２の収納ユニット１２６のリール胴体１１８に巻きつけた後に、再び側壁１１３に設けられた切り込み部を介して水中糸を移動させ第１の収納ユニットのリール外周部１１５に巻きつけた後に、仕掛けの終端部である天井糸の端部を、図１８に示したような２つ接するように配置された突起１２４ｂに引っかけたり、あるいは側壁１１２の切り込み部から引き出して空洞部１１８ａに収納したりして固定する。
【手続補正２０】
【補正対象書類名】明細書
【補正対象項目名】０２２３
【補正方法】変更
【補正の内容】
【０２２３】
図２０で、符号６１２は本発明の釣り糸収納具、１４１は本発明の釣り糸収納具６１２を構成する第１のリール胴体、１４２および１４３はリール胴体１４１に接続あるいは接合されており、かつ、互いに対向されて配置されている側壁、１４４ａおよび１４４ｂは側壁１４２から側壁１４３の方向に向けて側壁１４２から突き出している弾性体の突起で、突起１４４ａ，１４４ｂおよび図示していないが、側壁１４２の外周部近傍に設けられている突起１４４ａや１４４ｂと同様の役割を有するその他の突起のそれぞれを、あるいは総称して突起１４４とも称する。また、符号１４５はリール胴体１４１のリール外周部、１４６はリール外周部１４５と側壁１４２および１４３とおよび突起１４４によって作られた空洞部である第１の釣り糸収納部、１５３は符号１４１〜１４５の部分を有する第１の収納ユニット、１４７は本発明の釣り糸収納具を構成する第２のリール胴体、１４８および１４９はリール胴体１４７に接続あるいは接合されており、かつ、互いに対向されて配置されている側壁、１５０ａおよび１５０ｂは側壁１４８から側壁１４９の方向に向けて側壁１４８から突き出して形成されている弾性体の突起である。突起１５０ａ，１５０ｂおよび図示していないが、側壁１４８の外周部近傍に設けられているその他の突起のそれぞれを、あるいは総称して突起１５０とも称する。また、符号１５１はリール胴体１４７のリール外周部、１５２はリール外周部１５１と側壁１４８および１４９と突起１５０によって作られた空洞部である第３の釣り糸収納部、１５４は符号１４７〜１５１の部分で構成される第３の収納ユニット、１６０はリール胴体１５５と側壁１５６と側壁１５７とで構成される第２の釣り糸収納部としての付属物収納部、１６１はリール胴体１５５と側壁１５６および１５７と接合部分１５８および１５９を有し、収納ユニット１５３および１５４に接続あるいは接合された第２の収納ユニット、１５８は第２の収納ユニット１６１と第１の収納ユニット１５３との接合部分、１５９は第２の収納ユニット１６１と第３の収納ユニット１５４との接合部分、１６２は第３の収納ユニット１５４を第２の収納ユニット１６１に取り付けるための取り付け部、１６３は第１の収納ユニット１５３を第２の収納ユニット１６１に取り付けるための取り付け部、１６４は第１の収納ユニット１５３と第２の収納ユニット１６１との隙間部分、１６５は第３の収納ユニット１５４と第２の収納ユニット１６１との隙間部分である。付属物収納部１６０には逆さ釣り針や鼻カンなどを収納することが出来る。
【手続補正２１】
【補正対象書類名】明細書
【補正対象項目名】０２２９
【補正方法】変更
【補正の内容】
【０２２９】
第１の収納ユニット１５３と第３の収納ユニット１５４は、同一の形状の収納ユニットを第２の収納ユニット１６１に関して対称になるように対向して配置されており、役割をそれぞれ交換して、第１の収納ユニット１５３を第３の収納ユニットとして用い、第３の収納ユニット１５４を第１の収納ユニットとして用いても差し支えないことはもちろんである。
【手続補正２２】
【補正対象書類名】明細書
【補正対象項目名】０２３０
【補正方法】変更
【補正の内容】
【０２３０】
図２０の側壁１４２，１４３，１４８，１４９，１５６、１５７に図１８を用いて説明したような側壁と同様に切り込みが入っている側壁を用いて構成した釣り糸収納具を用いて、たとえば、魚釣りに用いる仕掛けを収納する場合、逆さ釣り針等を、たとえば図１８に突起１２４ｂとして示したような２つ近接するように配置された突起１２４ｂに引っかけて収納したり、あるいは、第２の収納ユニット１６１の付属物収納部１６０に収納したり、あるいは、第１の収納ユニット１５３と第２の収納ユニット１６１との間の隙間部分１６４に引っかけて収納したり、あるいは、第３の収納ユニット１５４と第２の収納ユニット１６１との間の隙間部分１６５に引っかけて収納したり、あるいは空洞部１６６に収納したりして、水中糸部分をリール外周部１４５に巻きつけていく。このとき、目印部分の付近の水中糸を、たとえば側壁１４３および１５７に設けられた切り込み部を介して第１の収納ユニット１５３から第２の収納ユニット１６１に移動させて、第２の収納ユニット１６１のリール胴体１５５に巻きつけた後に、たとえば、側壁１５６および側壁１４９に設けられた切り込み部を介して第２の収納ユニット１６１から第３の収納ユニット１５４に移動させリール外周部１５１に巻きつけた後に、仕掛けの終端部である天井糸を、図１８に示したような２つ接するように配置された突起１２４ｂのような突起１５０に引っかけたり、あるいは当該側壁の切り込み部から引き出して空洞部１６６に収納して固定する。
【手続補正２３】
【補正対象書類名】明細書
【補正対象項目名】０２３４
【補正方法】変更
【補正の内容】
【０２３４】
図２１で、符号６１３は本発明の釣り糸収納具、１７１はリール胴体、１７２，１７３はリール胴体１７１に接続あるいは接合されており、かつ、互いに対向して配置されている側壁、１７４ａおよび１７４ｂは側壁１７２から側壁１７３の方向に向けて、側壁１７２から突き出して形成されている弾性体の突起で、以下、突起１７４ａ，１７４ｂおよび図示していないが側壁１７２の外周部近傍に設けられているその他の突起のそれぞれを、あるいは総称して突起１７４とも称する。また、符号１７５はリール胴体１７１のリール外周部、１７６はリール外周部１７５と側壁１７２および１７３と突起１７４によって作られた空洞部である第１の釣り糸収納部としての釣り糸収納部、１８３は符号１７１〜１７６の部分で構成される第１の収納ユニット、１７７はリール胴体、１７８および１７９はリール胴体１７７に接続あるいは接合されており、かつ、互いに対向されて配置されている側壁、１８０ａおよび１８０ｂは側壁１７８から側壁１７９の方向に向けて、側壁１７８から突き出している弾性体の突起である。突起１８０ａ，１８０ｂおよび図示していないが側壁１７８の外周部近傍に設けられているその他の突起を総称して突起１８０とも称する。また、符号１８１はリール胴体１７７のリール外周部、１８２はリール外周部１８１と側壁１７８および１７９と突起１８０によって作られた空洞部である第２の釣り糸収納部としての付属物収納部、１８４は符号１７７〜１８２の部分で構成される第２の収納ユニット、１８５は第１の収納ユニット１８３と第２の収納ユニット１８４を接合するためのユニット接合部品、１８６は収納ユニット１８４をユニット接合部品１８５に装着するための取り付け部、１８７は収納ユニット１８３をユニット接合部品１８５に装着するための取り付け部、１８８は第１の収納ユニット１８３と第２の収納ユニット１８４との隙間部分である。
【手続補正２４】
【補正対象書類名】明細書
【補正対象項目名】０２３５
【補正方法】変更
【補正の内容】
【０２３５】
第１の収納ユニット１８３には主として釣り糸を巻きつけて収納し、逆さ釣り針、鼻カン、目印などを付属物収納部１８２に収納し、第１の収納ユニット１８３と第２の収納ユニット１８４の間を側壁１７３および１７９に設けられた切り込み部を介して釣り糸を往き来させることが出来る。符号１８９は側壁１７２，１７３，１７８，１７９とリール胴体１７１および１７７の中心部にあるユニット接合部品１８５の中心部に形成されている空洞部である。
【手続補正２５】
【補正対象書類名】明細書
【補正対象項目名】０２５３
【補正方法】変更
【補正の内容】
【０２５３】
図２４において、符号２３０は本発明の釣り糸収納具の側壁、２３０ａは側壁２３０のリール外周部よりも内側の部分である内側面、２３４は内側面２３０ａの中央部に形成された空洞部、２３１ａ、２３１ｂ，２３１ｃ，２３１ｄ，２３１ｅ，２３１ｆ，２３１ｇ，２３１ｈは側壁に設けられた底部および入り口部分のコーナー部分が丸みを帯びて形成されている切り込み部である。そして、切り込み部２３１ａ〜２３１ｈのそれぞれあるいは全体を切り込み部２３１と称することもある。符号２３３は側壁２３０の裏側に形成されている突起の位置を示す○印（以下、突起自体を呼称することもある）、２３２ａ，２３２ｂ，２３２ｃ，２３２ｄ，２３２ｅ，２３２ｆ，２３２ｇ，２３２ｈは側壁２３０の内側面２３０ａと外側面２３０ｂの境界部分に中心があるように形成されている穴である。２３２ａ〜２３２ｈまでのそれぞれあるいは全体を穴２３２と称する。
【手続補正２６】
【補正対象書類名】明細書
【補正対象項目名】０２５８
【補正方法】変更
【補正の内容】
【０２５８】
図２５で、符号２５５は本発明の釣り糸収納具、２４１はリール胴体、２５４はリール胴体２４１をその外周部に保持している保持体、２４２および２４３ならびに２４７はリール胴体２４１に接続あるいは接合されている側壁で、側壁２４２と側壁２４３，および側壁２４３と側壁２４７はそれぞれ互いに対向して配置されている。符号２４４ａおよび２４４ｂは側壁２４２から側壁２４３の方向に向けて側壁２４２から突き出している弾性体の突起で、突起２４４ａおよび突起２４４ｂ、ならびに、図示していないが、側壁２４２の外周部近傍に設けられているその他の突起のそれぞれあるいはそれを総称して突起２４４とも称する。また、符号２４５ａはリール胴体２４１の側壁２４２と側壁２４３の間の第１のリール外周部、２４６はリール外周部２４５ａと側壁２４２および２４３と突起２４４によって形成された空洞部である第１の釣り糸収納部、２４５ｂはリール胴体２４１の側壁２４３と側壁２４７の間の第２のリール外周部、２４８ａおよび２４８ｂは側壁２４７から側壁２４３の方向に向けて、側壁２４７から突き出している弾性体の突起で、突起２４８ａおよび突起２４８ｂ、ならびに、図示していないが、側壁２４７の外周部近傍に設けられているその他の突起のそれぞれあるいはそれを総称して突起２４８とも称する。符号２４９は側壁２４３と側壁２４７とリール外周部２４５ｂと突起２４８とで構成された第２の付属物収納部、２５０は符号２４１〜２４３，２４４ａ，２４４ｂ，２４５ａで示した部分を有する第１の収納ユニット、２５３は符号２４３，２４５ｂ、２４７，２４８ａ、２４８ｂで示した部分を有する第２の収納ユニットである。付属物収納部２４９には逆さ釣り針や鼻カンなどの針を収納することが出来る。第１の釣り糸収納部２４６には、たとえば主として釣り糸を巻きつけて収納し、逆さ釣り針、鼻カン、目印などを付属物収納部２４９に収納し、第１の釣り糸収納部２４６と第２の釣り糸収納部である付属物収納部２４９の間を側壁２４３に設けられた切り込み部を介して釣り糸を往き来させることが出来る。２５１は釣り糸収納具２５５の径方向中央部分に形成されている空洞部、２５２ａおよび２５２ｂは空洞部２５１に係合するように作られた蓋である。
【手続補正２７】
【補正対象書類名】明細書
【補正対象項目名】０２６５
【補正方法】変更
【補正の内容】
【０２６５】
図２６で、符号６１６は本発明の釣り糸収納具、５１１はリール胴体、５１２および５１３はリール胴体５１１に接続あるいは接合されており、かつ、互いに対向されて配置されている突起のついていない内側壁、５１４はリール胴体５１１の内側壁５１２と内側壁５１３の間のリール外周部、５１５は符号５１１〜５１４の部分などによって構成されているリール部、５１６は内側壁５１２に近接あるいは接触して配置されている外側壁、５１７ａ，５１７ｂは外側壁の外周部近傍で、かつ、内側すなわちリール部の中心部側から外側壁５２０の方向に向けて、突き出している弾性体の突起で、図示していないが、外側壁５１６の外周部近傍に設けられているその他の突起のそれぞれを、あるいは総称して突起５１７とも称する。符号５１８は第１の装着部５１９をリール部５１５に取り付けるための取り付け部、５１９は５１６〜５１８で示した部分などで構成される第１の装着部、５２０は内側壁５１３に近接あるいは接触して配置されている外側壁、５２１ａ，５２１ｂは外側壁５２０の外周部近傍から外側壁５１６側へ突き出している弾性体の突起で、図示していないが、外側壁５２０の端部付近に設けられているその他の突起のそれぞれを、あるいは総称して突起５２１とも称する。符号５２２は第２の装着部５２３をリール部５１５に取り付けるための取り付け部、５２３は符号５２０〜５２２で示した部分などで構成される第２の装着部、５２４はリール部５１５の中心部に、取り付け部５１８，５２２の内側に形成されている中心空洞部、５２５は内側壁５１２，５１３およびリール外周部５１４および突起５１７，５２１などによって構成される釣り糸収納部である。
【手続補正２８】
【補正対象書類名】明細書
【補正対象項目名】０２６７
【補正方法】変更
【補正の内容】
【０２６７】
図２６において、リール胴体５１１，内側壁５１２，５１３、リール外周部５１４で構成されるリール部５１５はプラスチックで作られている。外側壁５１６、突起５１７、取り付け部５１８などで構成される第１の装着部５１９および外側壁５２０、突起５２１、取り付け部５２２などで構成される第２の装着部５２３は合成ゴムによって作られている。また、リール胴体５１１，内側壁５１２，５１３、リール外周部５１４は一体形成されてリール部５１５を形成しており、外側壁５１６、突起５１７、取り付け部５１８は一体形成されて第１の装着部５１９を形成しており、外側壁５２０、突起５２１、取り付け部５２２は一体形成されて第２の装着部５２３を形成している。
【手続補正２９】
【補正対象書類名】明細書
【補正対象項目名】０２７７
【補正方法】変更
【補正の内容】
【０２７７】
図２７で、符号６１７は本発明の釣り糸収納具、５３１はリール胴体、５３２および５３３はリール胴体５３１に接続あるいは接合されており、かつ、互いに対向されて配置されている内側壁、５３４はリール胴体５３１の内側壁５３２と内側壁５３３の間のリール外周部、５３５ａ，５３５ｂは内側壁５３２に設けられた穴である。また、穴５３５ａ，５３５ｂと、図示していないが内側壁５３２の外周部付近に設けられているその他の穴のそれぞれを、あるいは総称して穴５３５とも称する。符号５３６ａ，５３６ｂは内側壁５３３に設けられた穴である。また、穴５３６ａ，５３６ｂと、図示していないが内側壁５３３の外周部付近に設けられているその他の穴のそれぞれを、あるいはそれらを総称して穴５３６とも称する。符号５３７は符号５３１〜５３６によって構成されているリール部、５３８は内側壁５３２に近接あるいは接触している外側壁、５３９ａ，５３９ｂは外側壁の外周部近傍から外側壁５４２の方向に向けて突き出している弾性体の突起で、突起５３９ａ，５３９ｂと、図示していないが、外側壁５３８の外周部近傍に設けられているその他の突起のそれぞれを、あるいは総称して突起５３９と称する。符号５４０は第１の装着部５４１をリール部５３７に取り付けるための取り付け部、５４１は符号５３８〜５４０で示した部分などで構成される第１の装着部、５４２は内側壁５３３に近接あるいは接触して配置されている外側壁、５４３ａ，５４３ｂは外側壁５４２の外周部近傍から内側壁５３２の方向に向けて突き出している弾性体の突起で、突起５４３ａ，５４３ｂと、図示していないが、外側壁５４２の外周部付近に設けられているその他の突起のそれぞれを、あるいは総称して突起５４３とも称する。符号５４４は第２の装着部５４５をリール部５３７に取り付けるための取り付け部、５４５は符号５４２〜５４４で示した部分などで構成される第２の装着部、５４６はリール部５３７の中心に取り付け部５４０，５４４によって構成される中心空洞部、５４７は内側壁５３２，５３３およびリール外周部５３４および突起５３９，５４３によって構成される釣り糸収納部である。
【手続補正３０】
【補正対象書類名】明細書
【補正対象項目名】０２８１
【補正方法】変更
【補正の内容】
【０２８１】
図２７の内側壁５３２と内側壁５３３に、たとえば、図１８を用いて説明したような側壁を用いて説明したような側壁と同様に切り込み部を有する側壁を用いて構成した釣り糸収納具を用いて魚釣りに用いる仕掛けを収納する場合、逆さ釣り針等を、たとえば、図９または図１０を用いて説明したような２つ接するように配置された突起５３９または５４３に引っかけたり、あるいは、中心空洞部５４６に収納して固定した後に、水中糸部分をリール外周部５３４に巻きつけていく。このとき、水中糸の中間部に設けられた目印部分の付近の水中糸を内側壁５３２または５３３に設けられた前記切り込み部を介して水中糸を移動させ、外側壁５３８または５４２の表面に巻きつけることによって収納した後に、再び側壁５３２または５３３に設けられた切り込み部を介して水中糸を移動させリール外周部５３４に巻きつけた後に、仕掛けの終端部である天井糸を、たとえば、図９または図１０を用いて説明したような２つ接するように配置された突起５３９または５４３に引っかけたり、あるいは内側壁５３２または５３３の切り込み部から引き出して中心空洞部５４６に収納して固定する。
【手続補正３１】
【補正対象書類名】明細書
【補正対象項目名】０２８６
【補正方法】変更
【補正の内容】
【０２８６】
そして、図２７を用いて説明した外側壁は図２６を用いて説明した外側壁と基本的に同様の形態で用いることができる。
【手続補正３２】
【補正対象書類名】明細書
【補正対象項目名】０２８９
【補正方法】変更
【補正の内容】
【０２８９】
図２８〜図３０で、符号３０１は本発明の釣り糸収納具、３０２，３１５，３１６はプラスチック製の側壁、３０３は釣り糸収納具３０１の収納具支持体、３０４，３０５は穴、３０４ａ，３０５ａはそれぞれ穴３０４，３０５の蓋部、３０６は中央ネジ部、３０７は側壁３０２の表面に側壁３０２の中心を中心として放射状に設けられた放射状突起である。また、３０９は収納具支持体３０３に設けられたネジ穴部、３１０は中央ネジ部の蓋部、３１４はネジで、３１１はネジ３１４のネジ頭部、３１１ｂはネジ３１４の連結部、３１２はネジ３１４のネジ部、３１３はネジ３１４を締めた状態でリール胴体３３５の中央部分にある後述の図３２に符号３３６ａで示した突出した部分と収納具支持体３０３の中央部にある後述の図３８に符号３６１で示した突出部との間にある第１の隙間部分、３１７はゴム製の側壁、３１８ａおよび３１８ｂは側壁３１７から側壁３１５に向けて突き出している帯状の弾性体の突起である。突起３１８ａと突起３１８ｂならびに側壁３１４の外周部近傍に設けられているその他の突起のそれぞれあるいはそれを総称して突起３１８とも称する。符号３１９ａおよび３１９ｃは側壁３１７の外周部近傍から側壁３１６に向けて突き出している弾性体の突起で、側壁３１７の周方向に複数個設けられている。突起３１９ａおよび突起３１９ｃ、ならびに側壁３１４の外周部近傍に設けられているその他の突起のそれぞれあるいはそれを総称して突起３１９とも称する。符号３２０ａおよび３２０ｂは側壁３１７の前記突起３１９よりも側壁３１７の中心に寄った方向の部分から側壁３１６の方に向けて突き出している弾性体の突起で、突起３２０ａと突起３２０ｂはその根本が接触するように形成されているか、その根本が狭い間隔を有するように形成されている。突起３２０ａと突起３２０ｂの根本の間隔は、後述のようにその使い方によって好適な近接状態にするが、たとえば針を収納するには、突起の根本の直径よりも小さい間隔にすると収納に便利である。なお、突起３２０ａおよび突起３２０ｂならびに側壁３１４の外周部近傍に設けられているその他の突起のそれぞれあるいはそれを総称して突起３２０とも称する。符号３２１はたとえば、突起３２０ａと突起３２０ｂのような近接した突起３２０の組としての突起対、３２２は側壁３０２と側壁３１５の間のリール外周部、３２３ａは側壁３１７と３１５の間のリール胴体、３２３ｂは側壁３１５と側壁３１７の間のリール外周部、３２４，３２５は収納具支持体３０３から突き出している突出部、３３０および３３１はそれぞれ突出部３２４および３２５に設けられた穴、３２８および３２９はリール胴体３３５および収納具支持体３０３によって構成され穴３０４および３０５に続いている空洞部分、３２６および３２７はそれぞれ穴３０４および３０５の空洞部分３２８および３２９へに続いている空洞部、３３２は側壁３０２および側壁３１５ならびにリール胴体３３５によって構成される第２の釣り糸収納部としての付属物収納部、３３３はリール外周部３２３ｂおよび側壁３１５および側壁３１７ならびに突起３１８によって構成される第１の釣り糸収納部分、３３４は側壁３１７，側壁３１６，突起３１９，突起対３２１によって構成される第２の付属物収納部、３３５は側壁３０２，３１５，３１６を有するリール胴体、３５３ａは側壁３１７と３１６の間のリール胴体、３５３ｂはリール胴体３５３ａのリール外周部である。符号３３６はリール胴体３３５にネジ３１４を取り付けるときの取り付け部で、ネジ３１４の連結部３１１ｂの外径よりわずかに大きな円形の穴が取り付け部３３６（後述）としてリール胴体３３５に開けられており、この部分にネジ３１４の連結部３１１ｂとその係合する穴である取り付け部３３６の間に生じる第２の隙間部分３１１ｃが存在する。この第２の隙間部分３１１ｃと前記第１の隙間部分３１３との効果により、収納具支持体３０３とリール胴体３３５ならびに側壁３０２がネジ３１４によって回転可能に契合される。
【手続補正３３】
【補正対象書類名】明細書
【補正対象項目名】０２９１
【補正方法】変更
【補正の内容】
【０２９１】
図２９で、側壁３０２，３１５，３１６を有し、側壁３１７を装着したリール胴体３３５と収納具支持体３０３は、ネジ３１４のネジ部３１２を収納具支持体３０３に設けられたネジ穴部３０９に挿入してネジを締めることによって連結されている。取り付け部３３６の穴はネジ１４のネジ頭部３１１の下側部分にある連結部３１１ｂの外径よりもわずかに大きく作られている。ネジ３１４の上には蓋部３１０が設けられており、ネジ３１４を保護している。また、リール胴体３３５と収納具支持体３０３は、ネジ３１４によって連結されたときに互いの形によって空洞部分３２８および３２９を構成している。側壁３１７上に設けられた突起３２０はリール胴体３３５の中心から引いた放射線上に並んで突起対３２１として配置されている。側壁３１７上に設けられた突起３１８は棒状に、突起３１９は円弧状の帯状に形成されており、側壁３１７は後述の切り込み部３０８Ｂを有している。また、収納具支持体３０３に設けられた突出部３２４，３２５は根本部分よりも先端部分の方が外形がわずかに大きく、かつ、先端部分の外径は、それを挿入できる蓋部３０４ａ，３０５ａの内径よりもわずかに大きく作られている。
【手続補正３４】
【補正対象書類名】明細書
【補正対象項目名】０２９２
【補正方法】変更
【補正の内容】
【０２９２】
リール胴体３３５および側壁３０２，３１５，３１６および収納具支持体３０３はプラスチックによって構成されており、側壁３１７および突起３１８，３１９，３２０およびリール胴体３２３ａ，３５３ａはゴムによって構成されている。側壁３１７などを形成する前記ゴムとしては合成ゴムが特に好適なゴムであり、たとえばシリコーンゴムを用いることができる。のシリコーンゴムを適宜選ぶことにより、リール胴体３２３ａと３５３ａを引張って伸ばすことができ、独立に製造した前記プラスチック製のリール胴体３３５にリール胴体３２３ａと３５３ａを引き延ばしてはめることができる。
【手続補正３５】
【補正対象書類名】明細書
【補正対象項目名】０２９３
【補正方法】変更
【補正の内容】
【０２９３】
図２８〜図３０を用いて説明したような側壁３０２と収納具支持体３０３およびプラスチック製の側壁３１５および３１６とゴム製の側壁３１７を用いて構成した釣り糸収納具を用いて魚釣りに用いる仕掛けを収納する場合、逆さ釣り針等を近接した突起の組としての突起対３２１に引っかけて固定して逆さ釣り針付近の糸を逆さ釣り針などの付属物とともに第２の付属物収納部３３４に収納した後に、側壁３１７に設けられた後述の切り込み部３０８Ｂを介して釣り具の水中糸を第１の釣り糸収納部３３３に移動させてリール胴体３２３ａのリール外周部３２３ｂに巻きつけることによって、水中糸などを第１の釣り糸収納部３３３に収納する。このとき、目印部分付近の水中糸を側壁３１５に設けられた後述の切り込み部３０８Ａを介して水中糸を第１の付属物収納部３３２に移動させ、リール胴体３３５のリール外周部３２２に巻きつけることによって第１の付属物収納部３３２に収納した後に、再び側壁３１５に設けられた後述の切り込み部３０８Ａを介して水中糸を第１の釣り糸収納部３３３に移動させてリール外周部３２３ｂに巻きつけた後に、仕掛けの終端部である天井糸を、突起対３２１に引っかけるなどして固定する。
【手続補正３６】
【補正対象書類名】明細書
【補正対象項目名】０２９５
【補正方法】変更
【補正の内容】
【０２９５】
また、水中糸などの部分をリール外周部３２３ｂに巻きつける際には、放射状突起３０７の部分に指などを当てて巻きつけたい方向にリール胴体３３５を回転させることによって巻きつけることができる。また、リール外周部３２２に巻きつけるときや、第２の付属物収納部３３４に収納する際にも適宜リール胴体３３５の回転操作を使い、素早く作業を行うことができる。
【手続補正３７】
【補正対象書類名】明細書
【補正対象項目名】０２９６
【補正方法】変更
【補正の内容】
【０２９６】
図２８〜図３０を用いて説明したように構成された釣り糸収納具を用いて、釣り糸を釣り糸収納具に収納した場合、リール外周部３２３ｂに巻きつけられて外側に広がろうとする水中糸は突起３１８によって押さえられて、自然に解けることなく釣り糸収納部３３３に収納される。また、目印部分が第１の付属物収納部３３２に、逆さ針などの部分が第２の付属物収納部３３４にそれぞれ水中糸などの大部分とは別に収納されることにより、水中糸などが目印に引っかかったり破損したりすることを効果的に防ぐことが出来る。また、鼻カンなど取り外しが可能な部品を空洞部分３２８，３２９に収納することも出来る。また、リール胴体３３５と収納具支持体３０３がネジ３１４によって、第１の隙間部分３１３と第２の隙間部分３１１ｃを有して連結され、リール胴体３３５と収納具支持体３０３が独立に回転できるため、前述のように水中糸などを収納する際に、たとえば収納具支持体３０３を一方の手で持ち他方の手の指を放射状突起３０７にかけてリール胴体３３５を回転することにより、素早くかつ効率的に釣り具を収納することができる。
【手続補正３８】
【補正対象書類名】明細書
【補正対象項目名】０３０１
【補正方法】変更
【補正の内容】
【０３０１】
図３１において、放射状突起３０７は、側壁３０２の裏側、すなわち、釣り糸収納具の外側の表面に、側壁３０２の中心から放射状にある位置に配置されている。そして、この放射状突起３０７は、突起の代わりに凹部にすることもできる。また、穴３３６は側壁３０２の中心に設けられている。
【手続補正３９】
【補正対象書類名】明細書
【補正対象項目名】０３０３
【補正方法】変更
【補正の内容】
【０３０３】
図３３において、側壁３１６にかくれて見えないので図中に破線で示したように、側壁３１５には穴３０４の中心と中央ネジ部３０６の中心と穴３０５の中心を結んだ直線上とその直線に直交し、かつ、側壁３１５の面に含まれる直線上に、切り込み部３０８ａ，３０８ｂ，３０８ｃ，３０８ｄが設けられており、切り込み部３０８ａ，３０８ｂ，３０８ｃ，３０８ｄは側壁の外周部分からリール外周部３２２までの長さで設けられている。切り込み部３０８ａ，３０８ｂ，３０８ｃ，３０８ｄのそれぞれをあるいは総称して切り込み部３０８Ａとも称する。
【手続補正４０】
【補正対象書類名】明細書
【補正対象項目名】０３１０
【補正方法】変更
【補正の内容】
【０３１０】
特に好ましい実施の形態例として、前記の如く、リール胴体部品３５０をシリコーンゴムで一体成形技術を用いて製造し、これとは独立して、リール外周部品３４０も樹脂を用いて一体成形技術で製造しておく。そして、リール胴体部品３４０のリール外周部３４１に弾性体部品３５０を装着する際には、弾性体部品３５０を引っ張って伸ばすことにより穴３５２を拡げて、たとえば、側壁３１６の側から側壁３１５と側壁３１６の間に挿入して、リール外周部３４１に装着する。このようにすることによって、リール胴体部品３４０に着脱可能な弾性体部品にすることができる。
【手続補正４１】
【補正対象書類名】明細書
【補正対象項目名】０３２４
【補正方法】変更
【補正の内容】
【０３２４】
図４４〜図４６は図３１〜図３３を用いて説明した、側壁３０２，３１５，３１６およびリール胴体３３５を有するリール胴体部品の寸法を説明する図であり、図４４〜図４６は、それぞれ図３１〜図３３と同様の図に寸法を説明するための符号を付けた図である。
【手続補正４２】
【補正対象書類名】明細書
【補正対象項目名】０３２６
【補正方法】変更
【補正の内容】
【０３２６】
図４５で、符号φ４はネジ部３０６の穴３４３の直径、φ５はネジ部３０６の蓋部３１０が入る凹部の入口部分の内径、φ６は穴３０４および３０５の入口部分である蓋部３０４ａ、３０５ａの最も内径が小さくなっている部分の内径、φ７は穴３０４および３０５の入り口部分に続く空洞部分３２６，３２７の内径、φ８はネジ部３０６の穴３３６の内径、φ９は穴３３６周辺部の突き出し部分３３６ａの外径、φ１０はリール胴体３３５一部として形成されているリール外周部３４１がある部分のリール胴体の内径、φ１１はリール外周部３４１の外径、φ２７は側壁３１６の外径である。また、Ｌ４は穴３０４の中心から穴３０５中心までの長さ、Ｄはネジ部３０６の蓋部３１０が入る凹部の深さ、Ｄ２は穴３０４および３０５の入り口部分の寸法、Ｄ３は穴３０４および３０５の空洞部３２６，３２７部分の深さ、Ｄ４は側壁３１５の外側と内側の厚みの違いすなわち側壁３１５の側壁３１６の側でリール外周部３２２の位置に相当する位置の近傍から凹んでいる部分（図３２で符号３５４で示した凹み）の深さ、Ｗ３は放射状突起３０７の長さ、Ｗ４は放射状突起まで含んだリール胴体部品３４０全体の厚み、Ｗ５は前記側壁３１５の凹み３５４の幅、Ｗ６は側壁３１６の他の部分よりも凹んでいる部分の幅、Ｗ７は側壁３１６の前記側壁３１６の他の部分よりも凹んでいる部分から外側の外周部分の幅、Ｗ８は第２の収納ユニットである第１の付属物収納部３３２の入口部分の幅、Ｗ９は側壁３１５と側壁３１６の間の入口部分の幅、Ｗ１０は前記は側壁３１６の前記側壁３１６の他の部分よりも凹んでいる部分すなわち図３２に符号３１６ａと３１６ｂで示した部分の間の部分の凹みの深さ、Ｒ１は穴３０４および３０５の入り口部分に出っ張っている半球状の部分の半径、Ｒ２は放射状突起３０７の端部の曲率半径、Ｒ３は側壁３０２の外周部分の曲率半径、Ｒ４は側壁３１５の外周部分の曲率半径、Ｒ５は側壁３１６の外周部分の曲率半径、θ１１は側壁３０２の一方の側の面すなわち放射状突起３０７がある側の面と側壁３０２の他方の側の面すなわち側壁３１５に対向している側の面が成す角度、θ１２は側壁３１５の側壁３１６側の面と側壁３０２側の面が成す角度、θ１３はネジ部３０６の蓋部３１０が入る凹部の入口部分のテーパの角度である。
【手続補正４３】
【補正対象書類名】明細書
【補正対象項目名】０３３５
【補正方法】変更
【補正の内容】
【０３３５】
図５１、図５２で、符号φ２８は穴３３０の直径、すなわち縁部３６２の内径、φ２９は縁部３６２の取っ掛かり部３６３を除いた部分の外径（図５１では図示の都合上半径を矢印で示してあるが、φ２９はその２倍の寸法）、θ１６，θ１７，θ１８は各隣り合う取っ掛かり部３６３の間隔を突出部３２４の中心に関する中心角で表した角度である。符号Ｗ２０は収納具支持体３０３を含めた突出部３２４の高さ、Ｗ２１は収納具支持体３０３の突出部３２４が形成されている部分の厚み、Ｒ１２は突出部３２４の断面外周部の曲率半径、Ｒ１３は取っ掛かり部３６３の外周部分の断面の曲率半径である。
【手続補正４４】
【補正対象書類名】明細書
【補正対象項目名】符号の説明
【補正方法】変更
【補正の内容】
【符号の説明】  寸法記号（φ１，Ｄ１，Ｗ１、等）を追加
１，７１，１１１，１４１，１４７，１７１，１７７，１９１，２１１，２４１，３２３ａ，３３５，３５３ａ：リール胴体
２，３，１５，５１〜５３，７２，７３，１１２，１１３，１２３，１４２，１４３，１４８，１４９，１７２，１７３，１７８，１７９，１９２，１９３，２１２，２１３，２１７，２３０，２４２，２４３，２４７，３０２，３１５，３１６，３１７：側壁
４，５，６，７，２１，２２，２３，２４，３１〜３３，３４〜３９，４０〜４２，４３〜４８，５４〜５６，５８〜６０，７４，７５，７９，８０，９０，９１，９２〜９５，９６，９７，９８，９９，１１４、１１４ａ，１１４ｂ，１２４，１２４ａ，１２４ｂ，１４４，１４４ａ，１４４ｂ，１５０，１５０ａ，１５０ｂ，１７４，１７４ａ，１７４ｂ，１８０，１８０ａ，１８０ｂ，１９４，１９４ａ，１９４ｂ，２１４，２１４ａ，２１４ｂ，２３３，２４４，２４４ａ，２４４ｂ，２４８，２４８ａ，２４８ｂ，３１８，３１８ａ，３１８ｂ，３１９，３１９ａ，３１９ｂ，３１９ｃ，３１９ｄ，３２０ａ，３２０ｂ，３２０：突起
８，７６，１１５，１４５，１５１，１７５，１８１，１９５，２１５ａ，２１５ｂ，２４５ａ，２４５ｂ，３２２，３２３ｂ，３４１，３５３ｂ，：リール外周部
９，７７，１１６，１４６，１５２，１７６，１９６，２１６，２４６：釣り糸収納部
１０，１６，７８，１２５，１３６，１６６，１８９，２０６，２２１，２３４，２５１，３２６，３２７，１０２２：空洞部
１５ａ，１２３ｂ；外側面
１７，１７ａ，１７ｂ，１７ｃ，１７ｄ，１７ｅ，１７ｆ，１７ｇ，１７ｈ，１１７ａ、１１７ｂ，１１７ｃ，１１７ｄ，１１７ｅ，１１７ｆ，１１７ｇ，１１７ｈ，１１７，２３１，２３１ａ、２３１ｂ，２３１ｃ，２３１ｄ，２３１ｅ，２３１ｆ，２３１ｇ，２３１ｈ，３０８Ａ，３０８Ｂ，３０８ａ，３０８ｂ，３０８ｃ，３０８ｄ，３０８ｅ，３０８ｆ，３０８ｇ，３０８ｈ，１０２１，１０２１ａ，１０２１ｂ，１０２１ｃ，１０２１ｄ，１０２１ｅ，１０２１ｆ，１０２１ｇ，１０２１ｈ，：切り込み部
１８，１８ａ，１８ｂ，１８ｃ．１８ｄ，１８ｅ，１８ｆ，１８ｇ，１８ｈ，２３２ａ，２３２ｂ，２３２ｃ，２３２ｄ，２３２ｅ，２３２ｆ，２３２ｇ，２３２ｈ，２３２，３０４，３０５，３３０，３３１，３３６，３４３，３５２：穴
５７，６１，３２１：突起対
１１０：１２６，１３７，１５３，１５４，１６１，１８３，１８４，１９０，２０１，２１９，２２０，２５０，２５３，３３２，３３３，３３４：収納ユニット
１２１，１３５，１６０，１８２，２００，２１８，２４９，３３２，３３４：付属物収納部
１２０：接合部
１２２，１６２，１６３，１８６，１８７，２０３，２０４：取り付け部
１２３ａ，２３０ａ：内側面
１２４ａ，１２４ｂ，２３３：突起の位置を示す○印
１２８，１３９：取り付け係合部
１３４，１５８，１５９：接合部分
１３８，１６４，１６５，１８８，２０５，３１３：隙間部分
１８５，２０２：ユニット接合部品
２５２ａ，２５２ｂ、３０４ａ，３０５ａ，３１０，１０２３：蓋
２５４：保持体
２５５，３０１，６０１〜６０４，６１０〜６１７：釣り糸収納具
３０３：収納具支持体
３０６：中央ネジ部
３０７：放射状突起
３０９：ネジ穴部
３１１ｂ：連結部
３１２：ネジ部
３１４：ネジ
３２４，３２５，３３６ａ，３６１：突出部
３２６，３２７，３２８，３２９：空洞部分
３３３：釣り糸収納部分
３４０：リール胴体部品
３５０：弾性体部品
３５１：リール胴体部分
３５４：凹み
３６２：縁部
３６４，３６５：段差
３６３，３６３ａ，３６３ｂ，３６３ｃ：取っ掛かり部
１０１０：仕掛け
１０１１，１０５２：水中糸
１０１２ａ，１０１２ｂ，１０１２ｃ，１０３４ａ，１０３４ｂ，１０３４ｃ，１０４５，１０５３ａ，１０５３ｂ，１０５３ｃ：目印
１０１３：天井糸
１０１３ａ：結び目
１０１４，１０３３：天井糸先端部
１０１５，：イカリ針
１０１６：逆さ釣り針
１０１７：鼻カン
１０２０，１０４０：収納具
１０２２：空洞部
１０２６：外壁部
１０２４，１０２５，：外壁部
１０２６，１０４１：外周部
１０３１，１０５１：針部
１０３２，１０５２：糸部
１０３５：水中糸端部
１０４２：柔軟外壁部
１０４３：硬質外壁部
１０４４ａ，１０４４ｂ：スポンジ部
１０６１ａ，１０６１ｂ：屈折部
Ｄ，Ｄ１〜５，Ｌ１〜Ｌ５，Ｒ１〜１４，Ｗ１〜２２，θ１〜１８，φ１〜２９：寸法説明用記号
【手続補正４５】
【補正対象書類名】図面
【補正対象項目名】図１
【補正方法】変更
【補正の内容】
【図１】
2004129559.tif 000001
【手続補正４６】
【補正対象書類名】図面
【補正対象項目名】図３
【補正方法】変更
【補正の内容】
【図３】
2004129559.tif 000002
【手続補正４７】
【補正対象書類名】図面
【補正対象項目名】図１１
【補正方法】変更
【補正の内容】
【図１１】
2004129559.tif 000003
【手続補正４８】
【補正対象書類名】図面
【補正対象項目名】図１２
【補正方法】変更
【補正の内容】
【図１２】
2004129559.tif 000004
【手続補正４９】
【補正対象書類名】図面
【補正対象項目名】図１７
【補正方法】変更
【補正の内容】
【図１７】
2004129559.tif 000005
【手続補正５０】
【補正対象書類名】図面
【補正対象項目名】図２０
【補正方法】変更
【補正の内容】
【図２０】
2004129559.tif 000006
【手続補正５１】
【補正対象書類名】図面
【補正対象項目名】図２７
【補正方法】変更
【補正の内容】
【図２７】
2004129559.tif 000007
【手続補正５２】
【補正対象書類名】図面
【補正対象項目名】図３４
【補正方法】変更
【補正の内容】
【図３４】
2004129559.tif 000008
【手続補正５３】
【補正対象書類名】図面
【補正対象項目名】図５１
【補正方法】変更
【補正の内容】
【図５１】
2004129559.tif 000009
【手続補正５４】
【補正対象書類名】図面
【補正対象項目名】図５４
【補正方法】変更
【補正の内容】
【図５４】
2004129559.tif 000010
【手続補正５５】
【補正対象書類名】図面
【補正対象項目名】図５６
【補正方法】変更
【補正の内容】
【図５６】
2004129559.tif 000011
【手続補正５６】
【補正対象書類名】図面
【補正対象項目名】図５７
【補正方法】変更
【補正の内容】
【図５７】
2004129559.tif 000012
【手続補正５７】
【補正対象書類名】図面
【補正対象項目名】図５９
【補正方法】変更
【補正の内容】
【図５９】
2004129559.tif 000013
【手続補正５８】
【補正対象書類名】図面
【補正対象項目名】図６４
【補正方法】変更
【補正の内容】
【図６４】
2004129559.tif 000014